(57)【要約】【課題】被写体の撮像画像の取得前に、設定された撮影条件によって得られる撮像画像への処理効果をユーザに理解しやすくする。【解決手段】処理装置は、撮影装置で撮影された被写体の撮像画像から、被写体を撮影する状況を種別に分類し、分類された種別に対応した第１撮影条件を撮影装置に設定することと、撮影する状況について分類された種別を示す第１情報と、分類された種別に対応して設定された第１撮影条件から得られる処理効果を説明する第２情報とを、撮像画像が表示される表示部に表示することと、を実行する制御部を備える。【選択図】図２
2020150433.tif 000002
【特許請求の範囲】
【請求項１】
撮影装置で撮影された被写体の撮像画像から、前記被写体を撮影する状況を種別に分類し、前記分類された種別に対応した第１撮影条件を前記撮影装置に設定することと、
前記撮影する状況について分類された種別を示す第１情報と、前記分類された種別に対応して設定された第１撮影条件から得られる処理効果を説明する第２情報とを、前記撮像画像が表示される表示部に表示することと、
を実行する制御部を備える処理装置。
【請求項２】
前記制御部は、前記表示部に表示された前記第２情報を第１所定期間の経過後に消去することと、
前記第２情報の消去を契機として、前記撮影装置に設定された第１撮影条件の取り消しを受け付ける操作部品を前記表示部に表示することと、をさらに実行する請求項１に記載の処理装置。
【請求項３】
前記制御部は、前記第１撮影条件への取り消しを受け付けたときには、前記第１撮影条件とは異なる第２撮影条件を前記撮影装置に設定することと、
前記撮影装置に設定された第２撮影条件を第２所定期間にわたり継続することと、をさらに実行する請求項１または２に記載の処理装置。
【請求項４】
前記制御部は、前記第１撮影条件への取り消しを受け付けた後、第２所定期間経過後に撮影された次の撮影画像が、前記第１撮影条件への取り消しを受け付けたときの撮影画像と異なるときには、前記次の撮影画像で撮影された被写体を撮影する状況を種別ごとに分類し、前記分類された種別に対応した第１撮影条件を前記撮影装置に設定することを再度実行する、請求項３に記載の処理装置。
【請求項５】
前記制御部は、前記第１撮影条件への取り消しを受け付けた後、第２所定期間経過前に撮影された撮影画像の変更の有無によらず、第２所定期間経過後に撮影された次の撮影画像が、前記第１撮影条件への取り消しを受け付けたときの撮影画像と一致するときには前記第２撮影条件を設定する、請求項３または４に記載の処理装置。
【請求項６】
前記制御部は、前記処理効果を反映させた前記被写体の撮像画像とともに前記処理効果を説明する第２情報を表示する、請求項１から５の何れか一項に記載の処理装置。
【請求項７】
撮影装置で撮影された被写体の撮像画像から、前記被写体を撮影する状況を種別に分類し、前記分類された種別に対応した第１撮影条件を前記撮影装置に設定することと、
前記撮影する状況について分類された種別を示す第１情報と、前記分類された種別に対応して設定された第１撮影条件から得られる処理効果を説明する第２情報とを、前記撮像画像が表示される表示部に表示することと、
をコンピュータに実行させるプログラム。
【発明の詳細な説明】
【技術分野】
【０００１】
本発明は、処理装置、およびプログラムに関する。
【背景技術】
【０００２】
近年、カメラ等の撮像装置を備えた情報処理装置が普及してきている。このような、情報処理装置として、例えば、スマートフォン、携帯電話装置、タブレット端末等が例示される。撮像装置を備えた情報処理装置においては、撮影された画像情報を解析し、撮影場面に対応したカメラ設定を自動的に検出して設定する機能（以下、「撮影モード設定機能」とも称す）が提案されている。撮影モード設定機能を使用することで、情報処理装置の利用者（以下、「ユーザ」とも称す）では、撮影場面に応じてカメラ設定をすることなく、適切な写真撮影が可能となっている。
【０００３】
なお、カメラで撮影された画像情報に対して画像処理を行い、撮影場面に適した撮影モードを設定することが、以下の先行技術文献に開示されている。
【先行技術文献】
【特許文献】
【０００４】
【特許文献１】特開２０１８−６８２８号公報
【発明の概要】
【発明が解決しようとする課題】
【０００５】
ところで、撮影対象の画像は様々である。このため、情報処理装置は、撮影画像に基づいて撮影場面に好ましいと判断したカメラ設定を自動的に検出して設定する場合では、設定された撮影条件と撮影対象との組合せによっては、ユーザの所望する画像効果が得られないこともあった。例えば、ユーザが逆光の中の被写体のシルエットを撮影しようとする場面では、自動的に設定された撮影条件では撮像画像全体の明るさが調整されてしまう場合があった。
【０００６】
１つの側面では、本発明は、被写体の撮像画像の取得前に、設定された撮影条件によって得られる撮像画像への処理効果をユーザに理解しやすくする技術を提供する。
【課題を解決するための手段】
【０００７】
上記技術は、次の処理装置の構成によって例示される。すなわち、処理装置は、撮影装置で撮影された被写体の撮像画像から、被写体を撮影する状況を種別に分類し、分類された種別に対応した第１撮影条件を撮影装置に設定することと、撮影する状況について分類された種別を示す第１情報と、分類された種別に対応して設定された第１撮影条件から得られる処理効果を説明する第２情報とを、撮像画像が表示される表示部に表示することと、を実行する制御部を備える。
【発明の効果】
【０００８】
１つの側面では、被写体の撮像画像の取得前に、設定された撮影条件によって得られる撮像画像への処理効果をユーザに理解しやすくする技術が提供できる。
【図面の簡単な説明】
【０００９】
【図１】本実施形態の処理装置のハードウェア構成の一例を示す図である。
【図２】説明情報の表示および設定された撮影条件の取り消しを説明する図である。
【図３】分類種別テーブルに保持される分類種別情報の一例を示す図である。
【図４】キャンセル操作に伴う撮影状態の遷移の一例を示す状態遷移図である。
【図５】本実施形態に係る表示情報が表示された撮像画像を説明する図である。
【図６】キャンセル操作に伴う撮影状態の遷移の他の一例を示す状態遷移図である。
【図７】キャンセル操作に伴う撮影状態の遷移の他の一例を示す状態遷移図である。
【図８】キャンセル操作に伴う撮影状態の遷移の他の一例を示す状態遷移図である。
【図９】ファインダに表示される表示情報に関する処理を例示するフローチャートである。
【図１０】ファインダに表示されたキャンセルボタンの押下操作に関する処理を例示するフローチャートである。
【発明を実施するための形態】
【００１０】
以下、図面を参照して、一実施形態に係る処理装置について説明する。以下の実施形態の構成は例示であり、本処理装置は、以下の実施形態の構成には限定されない。以下、図１から図１０の図面に基づいて、本実施形態の処理装置を説明する。
【００１１】
＜実施形態＞
図１に、本実施形態の処理装置のハードウェア構成の一例を例示する。図１に例示の処理装置１０は、入力部１４に撮像装置１４ａを備える情報処理装置である。このような情報処理装置として、例えば、スマートフォン、携帯電話端末、タブレット端末、ＰＤＡ（Personal Data Assistance）、デジタルカメラ等が例示される。但し、処理装置１０は、撮像装置１４ａを備える機器であれば、ゲーム機やＰＣ（Personal Computer）、ノート
ＰＣ、利用者の身体に装着可能な腕時計型やリストバンド型、グラス型のウェアラブルコンピュータであってもよい。
【００１２】
撮像装置１４ａは、例えば、ＣＣＤ（Charged-Coupled Devices）、ＣＭＯＳ（Complementary Metal-Oxide-Semiconductor）等のイメージセンサによるカメラである。撮像装置１４ａは、単眼カメラであってもよく、ステレオカメラや赤外線カメラであってもよい。撮像装置１４ａは、例えば、処理装置１０の筐体に一体的に設けられ、利用者（以下、「ユーザ」とも称す）の操作入力を通じて、撮影方向の映像や撮像画像を撮影するためのアプリケーションプログラム（以下、「カメラアプリ」とも称す）を起動させる。カメラアプリが起動された処理装置１０では、撮像装置１４ａ通じて撮影された撮影方向の映像が所定のフレームレート（例えば、３０fps）で撮影される。所定のフレームレートで撮影
された撮像画像は、例えば、撮影対象の撮像画像を表示するファインダに表示される。図１の処理装置１０においては、例えば、出力部１５を構成するＬＣＤ（Liquid Crystal Display）１５ａ等の表示デバイスの表示領域に撮影対象の撮像画像が表示される。
【００１３】
本実施形態の処理装置１０は、モード設定部１０１として機能する構成要素を含む。モード設定部１０１は、例えば、プロセッサ１１が処理装置１０に搭載されたアプリケーションプログラムの実行によって提供される情報処理機能である。モード設定部１０１は、例えば、カメラアプリの起動を契機として提供される。
【００１４】
モード設定部１０１は、例えば、撮像装置１４ａを通じて所定のフレームレートで撮影された撮像画像をフレーム単位で取得する。そして、モード設定部１０１は、当該撮像画像に含まれる人物や動植物、構造物等にフォーカシングしながら、パターンマッチング等の画像処理に基づいて、当該撮像画像に含まれる物体の種別を特定する。モード設定部１０１は、特定された上記物体の種別、上記物体の撮像画像内における配置位置や大きさといった構図に関する情報に基づいて、ユーザの所望する撮影場面（撮影シーン）を分類する分類器として機能する。このような、分類器は、例えば、撮像画像内における物体や配置位置、配色等をパラメータとした機械学習の深層学習アルゴリズムによって実現される。
【００１５】
モード設定部１０１は、例えば、上記の撮影場面（撮影シーン）を分類するアルゴリズムを機能モジュールとしてプログラム内に含む。そして、モード設定部１０１は、上記機能モジュールの出力として得られた、分類種別毎の確度を示す度合いに基づいて、撮像画像から特定された物体の種別や撮像画像内における配置位置、大きさ等の構図を示す情報に対応する撮影シーンを分類する。モード設定部１０１は、例えば、機能モジュールの出力が閾値（例えば、０．９）以上のときに、構図に対応する撮影シーンを分類する。撮影シーンの分類種別として、例えば、「人物」、「花」、「テキスト」、「夕焼け」、「夜景」、「料理」といった複数のカテゴリが例示される。
【００１６】
そして、モード設定部１０１は、分類された撮影シーンに応じて、当該撮影シーンに適した、「露出」、「シャッタスピード」、「色味」、「シャープネス」といった画像情報を取得する際の撮影条件（撮影パラメータ）を設定する。分類された撮影シーンに応じて設定された撮影条件を反映した撮像画像は、ファインダとして機能するＬＣＤ１５ａの表示デバイスに表示される。処理装置１０のカメラアプリを起動したユーザは、ファインダに表示された撮像画像を視認し、写真撮影のためのシャッタ操作を行う。撮影の知見が少ない初心者であっても、モード設定部１０１を介して分類された撮影シーンに応じて、「露出」、「シャッタスピード」、「色味」、「シャープネス」といった撮影条件が適切に調整された見栄えのする撮影対象の撮影が可能になる。
【００１７】
本実施形態に係る処理装置１０においては、モード設定部１０１は、上記した機能に加え、設定された撮影条件による撮像画像への処理効果を説明するための説明情報を、分類された撮影シーンを示す分類名称とともにファインダに表示する機能を備える。処理装置１０においては、ファインダとして機能するＬＣＤ１５ａの表示デバイスには、設定された撮影条件を反映した撮像画像が、上記撮影条件による処理効果を説明する説明情報、および分類名称とともに表示される。
【００１８】
例えば、分類された撮影シーンが「料理」のときには、分類された種別を示す名称「料理」等の情報とともに、「コントラストを高くし、料理が鮮やかに見えるように撮影します」といった説明情報がファインダ上に表示される。同様にして、分類された撮影シーンが「夜景」のときには、分類された種別を示す名称「夜景」といった情報とともに、「シャッタスピードを長くして夜景が美しく見えるように撮影します」といった説明情報がファインダ上に表示される。
【００１９】
ユーザは、ファインダ上に表示された上記分類名称および説明情報とともに、撮影条件が反映された撮像画像を同一画面上で視認できるため、撮影対象の写真を撮影する撮影前に、当該撮影条件による処理効果が把握可能になる。本実施形態によれば、撮影モード設定機能を介して設定された撮影条件による処理効果について、当該処理効果を反映させた画像撮影の可否を判断する機会が提供できる。
【００２０】
さらに、本実施形態に係る処理装置１０においては、モード設定部１０１は、ファインダに表示させた説明情報を一定期間経過後に消去するとともに、設定された撮影条件を取り消すための操作部品をファインダの表示領域に表示する。このような操作部品は、「×」印等の設定の取り消しを示す標識（マーク）で表されたＧＵＩ（Graphical User Interface）部品として例示される。処理装置１０は、例えば、ファインダであるＬＣＤ１５ａ等の表示デバイスに表示された上記ＧＵＩ部品へのタッチセンサ１４ｂを介した押下操作といった操作入力、あるいは、ポインティングデバイスを介した押下操作等の操作入力を受け付ける。処理装置１０では、上記ＧＵＩ部品への押下操作を受け付けると、例えば、ファインダに表示された撮像画像に反映された撮影シーンの分類による撮影条件が取り消され、撮影シーンの分類が行われる以前の状態における標準状態の撮影条件が設定される
。ファインダには、標準状態の撮影条件で撮影された画像が表示される。
【００２１】
ユーザは、処理装置１０によって自動的に分類された撮影条件による写真撮影を所望しないと判断したときには、当該撮影条件を上記ＧＵＩ部品を介して取り消すことができる。上記ＧＵＩ部品による撮影条件の取り消し後、撮影条件は、撮影シーンの分類が行われる以前の標準状態に移行するため、例えば、ユーザは標準状態の撮影条件にしたがって撮影対象の画像が取得できる。例えば、標準状態の撮影条件を用いて、逆光による撮影効果を反映させた対象物の写真撮影が可能になる。本実施形態によれば、ユーザの意図しない処理効果が施された写真の撮影が防止可能になる。
【００２２】
図２は、説明情報の表示および設定された撮影条件の取り消しを説明する図である。図２においては、本実施形態に係る処理に伴って、ファインダとして機能するＬＣＤ１５ａに表示される表示画面の遷移状態が例示される。なお、図２の処理装置１０は、スマートフォンとして機能する形態の一例である。以下では、処理装置１０の形態をスマートフォンとして説明する。
【００２３】
図２（１）は、処理装置１０に搭載されたカメラアプリが起動された状態の表示画面を示す図である。処理装置１０は、例えば、スタート画面等に表示されたカメラアプリを起動する操作部品（ＧＵＩ部品）への、タップ操作といったユーザの操作入力を受け付ける。処理装置１０は、例えば、ＬＣＤ１５ａの表面に設けられたタッチセンサ１４ｂを通じて、スタート画面に表示されたカメラアプリを起動する操作部品の表示位置に重畳して接触させた操作指等による接触操作を受け付ける。処理装置１０のＬＣＤ１５ａ等の表示画面には、カメラアプリの起動を契機として撮像装置１４ａを通じて撮影された撮像画像が表示される。撮像装置１４ａは、例えば、ＬＣＤ１５ａに対して背面側に設けられる。撮像装置１４ａの撮影方向は、ＬＣＤ１５ａの背面方向である。
【００２４】
カメラアプリが起動された時点では、所定のフレームレートで撮影された撮像画像に対する撮影シーンの分類は行われていない。このため、図２（１）の時点では、標準状態の撮影条件で撮影された撮影画像が、撮影に関するＧＵＩ部品ｂ１−ｂ４とともにＬＣＤ１５ａの表示領域に表示される。ＧＵＩ部品ｂ１は、例えば、動画撮影ボタンであり、ＧＵＩ部品ｂ２は撮影対象の静止画による写真を撮影するためのシャッタボタンである。また、ＧＵＩ部品ｂ３は、直前に撮影されたデータを表示するアイコンであり、ＧＵＩ部品ｂ４は、カメラアプリを終了してスタート画面に戻るための操作部品である。
【００２５】
ユーザは、例えば、背面側に設けられた撮像装置１４ａの撮影方向を、撮影対象が存在する方向に向けて、処理装置１０の筐体を保持する。処理装置１０のモード設定部１０１は、撮像装置１４ａを通じて所定のフレームレートで撮影された撮像画像に対して撮影シーンの分類を開始する。分類の結果、図２（２ａ）、（２ｂ）に示すように、処理装置１０のファインダとして機能するＬＣＤ１５ａの表示画面上には、所定のフレームレートで撮影された撮影対象の人物の撮像画像ａ１が表示される。撮像装置１４ａで撮影された撮像画像ａ１には、例えば、モード設定部１０１によって分類された撮影シーンに対応する撮影条件が反映される。
【００２６】
そして、処理装置１０は、分類された撮影シーンを示す分類名称ａ２、および、当該分類に応じて設定された撮影条件による撮像画像への処理効果を説明するための説明情報ａ３を同一画面上に表示する。このような、分類名称ａ２、説明情報ａ３を表示するための表示領域は、例えば、ファインダとして機能するＬＣＤ１５ａの上方向をＹ方向とし、上方向に対して直行する横方向をＸ方向とした２次元座標（Ｘ，Ｙ）を用いて指定される。処理装置１０は、例えば、ディスプレイの左上角部の座標を（０，０）とし、右下角部の座標を（maxＸ，maxＹ）として、分類名称ａ２、説明情報ａ３が表示される表示領域を指
定できる。
【００２７】
図２（２ａ）においては、分類名称ａ２として「人物」、および、「顔を明るくし、肌の色がきれいに見えるように撮影します」といった処理効果を説明する説明情報ａ３が、例えば、撮像画像ａ１を透過させた状態で、当該画像に重畳されて表示される。撮像画像ａ１とともに画面上に表示された分類名称ａ２、および、説明情報ａ３は、一定期間にわたり表示される（図２（２ｂ））。
【００２８】
分類名称ａ２、および、説明情報ａ３の表示期間は、実験的に求めることができる。例えば、複数の被験者に対して、撮影モード設定機能を介して分類された撮影条件による処理効果についての、当該処理効果を反映させた画像撮影の取得を判断する期間を計測する。そして計測結果に基づいて、例えば、平均値や標準偏差等の統計的な処理を施して、表示期間を定めることができる。なお、処理装置１０のユーザに関する年齢や性別等の属性情報を反映して表示期間を設けてもよい。ユーザに関する年齢や性別等の属性情報を考慮した表示期間の設定が可能になる。
【００２９】
図２（３）に示すように、撮影モード設定機能を介して分類された分類名称ａ２についての撮影条件の処理効果に対する説明情報ａ３は、一定期間の経過後に非表示状態に移行される。そして、処理装置１０は、設定された撮影条件を取り消すための操作部品ａ４をＬＣＤ１５ａの表示領域に表示する。図２（４）は、分類名称ａ２の表示領域の近傍に並列させて、撮影条件を取り消す操作部品ａ４を表示する形態の一例である。図２（３）、（４）においては、「×」印等の設定の取り消しを示す否定的なイメージを想起させる標識（マーク）で表されたＧＵＩ部品が例示される。以下、操作部品ａ４を「取消ボタンａ４」とも称する。
【００３０】
処理装置１０は、ＬＣＤ１５ａの表示領域に表示された取消ボタンａ４に対するタップ操作といった、タッチセンサ１４ｂを介した押下操作の操作入力を受け付ける。処理装置１０は、取消ボタンａ４への操作入力を受け付けると、分類名称ａ２に対応する撮影条件の設定を取り消す。設定の取り消しを契機として、ＬＣＤ１５ａの表示領域に表示中の分類名称ａ２は、表示画面上から消去される。以下、取消ボタンａ４への操作入力を「キャンセル操作」とも称す。
【００３１】
なお、設定が取り消された処理装置１０においては、撮影シーンの分類が行われる以前の標準状態における撮影条件が設定される。そして、図２（５）に示すように、標準状態の撮影条件で撮影された撮影対象の人物についての撮像画像ａ１が継続してＬＣＤ１５ａの画面上に表示される。但し、取り消し後の撮影条件として、例えば、マニュアルによる撮影モードに移行してもよく、二次的な撮影条件を示す候補が存在する場合には、当該二次的な候補の撮影条件を設定してもよい。二次的な撮影条件の候補が存在する場合には、当該候補の属する分類種別および効果を説明する説明情報が、分類名称ａ２および説明情報ａ３としてファインダの画面上に表示される。
【００３２】
設定の取り消し後、ユーザは、新たな撮影対象の撮影を開始する。標準状態の撮影条件が設定された処理装置１０は、新たな撮影対象についての所定のフレームレートで撮影された撮像画像を取得し、当該撮像画像に対する撮影シーンの分類を開始する。分類の結果、図２（６）に示すように、処理装置１０のファインダとして機能するＬＣＤ１５ａの表示画面上には、所定のフレームレートで撮影された撮影対象の花の撮像画像ａ５が表示される。撮像画像ａ１には、分類された撮影シーン（「花」）に対応する撮影条件が反映される。
【００３３】
処理装置１０は、分類された撮影シーンを示す分類名称ａ２、および、当該分類に応じ
て設定された撮影条件による撮像画像への処理効果を説明するための説明情報ａ３を同一画面上に表示する。図２（６）においては、分類された「花」といった分類名称ａ２、および、「花の色が明るく鮮やかに見えるように撮影します」といった撮影条件の処理効果を説明する説明情報ａ３が例示される。図２（６）においても、図２（２ａ）と同様に、撮像画像ａ１を透過させた状態で、当該画像に重畳させて分類名称ａ２、および、説明情報ａ３が一定期間にわたり表示される。
【００３４】
なお、処理装置１０は、取消ボタンａ４への操作入力（キャンセル操作）を契機として、当該操作入力を受け付けた時点の撮影シーン情報（分類名称、撮像画像等）を記録する。そして、処理装置１０は、キャンセル操作を受け付けたときから所定期間（例えば、５ｓｅｃ）の間、キャンセル状態を維持するようにしてもよい。すなわち、キャンセル操作が行われたときから所定期間の間（以下、当該期間を「キャンセル維持期間」とも称す）は、処理装置１０は、撮像装置１４ａを通じて撮影された撮影シーンに対する撮影モード設定機能による分類を抑制させるように制御してもよい。処理装置１０においては、キャンセル操作が行われた直後に検出された、キャンセル操作が生じた撮影シーンへの撮影モード設定機能による分類が抑制できるため、ユーザの同一の撮影シーンに対するキャンセル操作の繰り返しといった煩わしさが防止できる。
【００３５】
さらに、処理装置１０は、キャンセル維持期間経過後、キャンセル操作の受け付け時に記録された撮影シーン情報（分類名称、撮像画像等）に基づいて、キャンセル操作を受け付けた時点からの撮影シーンの変更が判断できる。すなわち、処理装置１０は、キャンセル維持期間経過後の撮影シーンが、キャンセル操作を受け付けた撮影シーンから変更されているときには、変更後の撮影シーンについて撮影モード設定機能による分類を行う。そして、処理装置１０は、撮影対象の撮像画像とともに、変更後の撮影シーンに対する分類名称および説明情報を同一画面上に表示する。一方、処理装置１０は、キャンセル維持期間経過後の撮影シーンが、キャンセル操作を受け付けた撮影シーンから変更されていないときには、ユーザの意図した行為であるキャンセル操作を優先させて、標準状態の撮影条件による設定を維持する。この結果、処理装置１０においては、キャンセル維持期間内ではユーザの意図を反映した写真撮影の機会が提供できる。処理装置１０は、キャンセル維持期間経過後においても、撮影シーンの分類に応じてユーザの意図を撮影機会に反映できるため、ユーザビリティが向上できる。
【００３６】
（装置構成）
図１に戻り、処理装置１０は、接続バスＢ１によって相互に接続されたプロセッサ１１、主記憶部１２、補助記憶部１３、入力部１４、出力部１５、通信部１６を有する。主記憶部１２および補助記憶部１３は、処理装置１０が読み取り可能な記録媒体である。
【００３７】
プロセッサ１１は、主記憶部１２の作業領域に実行可能に展開されたコンピュータプログラムを実行し、処理装置１０全体の制御を行う中央処理演算装置である。プロセッサは、コンピュータプログラムの実行を通じて周辺機器の制御を行うことで、所定の目的に合致した機能を提供する。プロセッサ１１には、ＣＰＵ（Central Processing Unit）やＤ
ＳＰ（Digital Signal Processor）、ＧＰＵ（Graphics Processing Unit）等が含まれる。なお、プロセッサ１１は、単一のプロセッサに限定される訳ではなく、マルチプロセッサ構成であってもよい。また、単一のソケットで接続される単一のプロセッサがマルチコア構成であってもよい。
【００３８】
主記憶部１２は、プロセッサ１１がプログラムやデータをキャッシュしたり、作業領域を展開したりする記憶媒体である。主記憶部１２には、フラッシュメモリ、ＲＡＭ（Random Access Memory）、ＲＯＭ（Read Only Memory）が含まれる。補助記憶部１３は、ＯＳ（Operating System）を含む各種のプログラムおよび各種のデータを読み書き自在に記録
媒体に格納する不揮発性の記憶媒体である。補助記憶部１３は、外部記憶装置とも呼ばれる。ＯＳは、例えば、搭載されたアプリに対し、管理するリソースへのインタフェースを提供する。処理装置１０に搭載されたアプリは、ＯＳを介して提供されたリソースへのインタフェースを使用することで、当該アプリ機能を提供する。ＯＳには、通信部１６を介して接続される外部装置等とのデータの受け渡しを行う通信インタフェースプログラムが含まれる。補助記憶部１３は、可搬記録媒体、フラッシュメモリ、ハードディスクドライブ（ＨＤＤ、Hard Disk Drive）、ＳＳＤ（Solid State Drive）等を含む。可搬記録媒体は、例えば、ＵＳＢ（Universal Serial Bus）メモリ、ＳＤ（Secure Digital）メモリカード、ＣＤ（Compact Disc）、ＤＶＤ（Digital Versatile Disc）等のディスク記録媒体である。
【００３９】
入力部１４は、ユーザからの操作指示等を受け付ける。入力部１４は、例えば、撮像装置１４ａ、タッチセンサ１４ｂ、入力ボタン、ポインティングデバイス、マイクロフォン等の入力デバイスである。入力部１４には、キーボード、ワイヤレスリモコンといった入力デバイスが含まれてもよい。ポインティングデバイスには、例えば、マウス、トラックボール、ジョイスティックが含まれる。
【００４０】
出力部１５は、プロセッサ１１で処理されるデータや情報、主記憶部１２、補助記憶部１３に記憶されるデータや情報を出力する。出力部１５には、例えば、ＬＣＤ１５ａ、ＥＬ（Electroluminescence）パネル、有機ＥＬパネル等の表示デバイスが含まれる。また
、出力部１５は、プリンタ、スピーカ等の出力デバイスを含んでもよい。通信部１６は、例えば、処理装置１０が接続されるネットワーク等とのインタフェースである。ネットワークには、インターネットといった公衆ネットワーク、ＬＡＮ（Local Area Network）等の有線ネットワーク、携帯電話網、無線ＬＡＮ等の無線ネットワークが含まれる。
【００４１】
処理装置１０は、プロセッサ１１が補助記憶部１３に記憶されているＯＳ、各種プログラムや各種データを主記憶部１２に読み出して実行することで、対象プログラムの実行とともにモード設定部１０１の処理機能を提供する。また、処理装置１０は、各種プログラムを実行するプロセッサ１１が参照し、或いは、管理するデータの格納先として、補助記憶部１３を備える。補助記憶部１３には、撮影シーンを分類するための各種の画像パターンを格納する照合パターンＤＢ２０１、分類された種別毎の効果を示す情報を格納する分類種別テーブル２０２が保持される。
【００４２】
なお、各種プログラムを実行するプロセッサ１１が提供する処理機能の少なくとも一部の処理が、ＡＳＩＣ（Application Specific Integrated Circuit）、ＦＰＧＡ（Field-Programmable Gate Array）等によって提供されてもよい。また、処理機能の少なくとも一部が、数値演算プロセッサ、ベクトルプロセッサ、画像処理プロセッサ等のＬＳＩ、その他のデジタル回路やアナログ回路によって提供されてもよい。
【００４３】
（テーブル構成）
図３は、分類種別テーブル２０２に保持される分類種別情報の一例を示す図である。分類種別テーブル２０２に保持される情報は、適宜にフィールドの追加、変更、削除が可能である。図３において、分類種別テーブル２０２は、設定名称、説明文、設定内容、撮影条件の各フィールドを有する。なお、図３は、撮影条件フィールドに、露出、コントラスト、シャッタスピード、シャープネスの各サブフィールドを有する形態の一例である。
【００４４】
設定名称フィールドには、撮影モード設定機能によって分類された撮影シーンの種別を示す情報が格納される。設定名称フィールドに格納された情報は、図２を用いて説明したように、「分類名称ａ２」として、ファインダとして機能するＬＣＤ１５ａの表示領域に表示される。図３では、「人物」、「花」、「テキスト」、「夕焼け」、「夜景」、「料
理」といった分類された撮影シーンの種別を示す情報が例示されている。
【００４５】
説明文フィールドには、撮影シーンの種別に応じた処理効果を説明するための情報が格納される。説明文フィールドに格納された情報は、図２を用いて説明したように、「説明情報ａ３」として、ファインダとして機能するＬＣＤ１５ａの表示領域に表示される。図３では、例えば、設定名称「テキスト」においては、「コントラストと輪郭を強調し、文字がくっきり見えるように撮影します」といった、分類された撮影シーンに対応する撮影条件による処理効果を説明する情報が例示されている。
【００４６】
設定内容フィールドには、当該設定名称において、標準状態の撮影条件に対して変更される設定内容を示す情報が格納される。図３においては、「顔の領域の露出を上げる」、「色の彩度を上げ、露出を上げる」、「コントラストを上げ、輪郭を強調する」、「暗い部分を明るくする」、「シャッタスピードを長くする」、「コントラストを上げる」といった情報が例示されている。
【００４７】
撮影条件フィールドには、当該設定名称に分類された撮影シーンにおける撮影条件を示す情報が格納される。撮影条件を示す情報は、サブフィールドで指定される「露出」、「コントラスト」、「シャッタスピード」、「シャープネス」といったパラメータ毎の、標準状態の撮影条件に対する相対的な設定度合いで表される。例えば、標準状態の撮影条件による設定値を「０」として、当該設定値に対する最大可変量を１００パーセントとした場合の、相対的な変化量の度合いを示す情報がパラメータ毎に格納される。なお、標準状態に対して増加方向に可変されるときには「＋」、減少方向に可変されるときには「−」等の変化方向を示す符号が付加される。但し、相対的な変化量は、複数段階の指標を用いて表されるとしてもよい。例えば、１００パーセントの変化量を１０パーセント毎に区切った１０段階の指標を用いて表してもよい。
【００４８】
露出サブフィールドには、当該設定名称に分類された撮影シーンにおける露出パラメータの、標準状態からの補正量を示す情報が格納される。コントラストサブフィールドには、同様にして、コントラストパラメータの、標準状態からの補正量を示す情報が格納される。シャッタスピードサブフィールドには、当該設定名称に分類された撮影シーンにおけるシャッタスピードの設定値（ｍｓｅｃ）が格納される。シャープネスサブフィールドには、当該設定名称に分類された撮影シーンにおけるシャープネスパラメータの、標準状態からの補正量を示す情報が格納される。なお、各サブフィールドにおいて、標準状態の撮影条件と同様の設定値が使用される場合には、当該補正量が存在しないことを示す情報（例えば、「−」や空欄等）が格納される。
【００４９】
（処理の流れ）
図４から図１１を参照して、本実施形態に係る処理装置１０の処理を説明する。図４から図８は、キャンセル操作に伴う撮影状態の遷移の一例を示す状態遷移図である。図４においては、キャンセル操作後において撮影シーンが変化しなかった場合の、時間経過に伴う撮影状態の遷移が例示される。なお、図４の横軸は、経過時間（ｔ）を表す。
【００５０】
図４において、矩形枠Ｇ１で囲まれた領域は、撮像装置１４ａを通じて撮影された撮像画像を表す。同様にして、矩形枠ＣＬ１で囲まれた領域は、撮影モード設定機能によって分類された撮影シーンの種別を表す。処理装置１０においては、分類された種別に応じて、撮影対象の撮影シーンに対する撮影条件が設定される。処理装置１０は、設定された撮影条件に従い、所定のフレームレートで撮影対象の撮像画像を撮影する。撮影された撮像画像は、処理装置１０のファインダとして機能するＬＣＤ１５ａの画面上に表示される。
【００５１】
処理装置１０は、例えば、スタート画面等に表示されたカメラアプリを起動する操作部
品（アイコン等）への、ユーザの操作入力を受け付け、当該カメラアプリを起動させる。カメラアプリの起動時においては、標準状態の撮影条件で撮影された撮像画像Ｚ１が撮影される。撮像画像Ｚ１には、撮影対象の人物は含まれない。ユーザは、例えば、処理装置１０の背面側に設けられた撮像装置１４ａの撮影方向を、撮影対象の人物が存在する方向に向けて筐体を保持し、撮影を開始する。
【００５２】
処理装置１０は、撮像装置１４ａを通じて所定のフレームレートで撮影された撮像画像をフレーム単位で取得し、撮影対象の人物を含む撮影シーンの分類を開始する。処理装置１０は、例えば、撮像画像に含まれる人物や動植物、背景、構造物等にフォーカシングしながら、パターンマッチング等の画像処理に基づいて、当該撮像画像に含まれる物体の種別を特定する。そして、処理装置１０は、特定された上記物体の種別、上記物体の撮像画像内における配置位置や大きさといった構図に関する情報に基づいて、撮影対象の人物を含む撮影シーンの属する種別を分類する。分類の結果、当該撮影シーンの属する種別が「人物」と分類される（時刻ｔ０）。そして、当該撮影シーンを撮影するための撮影条件として、分類された「人物」に対応する撮影条件が設定される（ＣＬ１ａ）。
【００５３】
処理装置１０のＬＣＤ１５ａには、撮影シーンの属する種別を示す分類名称（設定名称）、分類名称に対応する撮影条件による効果を説明するための説明情報を含む、撮像画像Ｚ２が表示される。図５（１）に、撮像画像Ｚ２を説明する図を例示する。
【００５４】
図５（１）において、破線の矩形枠で囲まれた領域Ｚ２ａには、モード設定部１０１によって特定された、撮影シーンの属する種別を示す分類名称（設定名称）が表示される。また、破線の矩形枠で囲まれた領域Ｚ２ｂには、分類名称に対応する撮影条件によって得られる効果を説明するための説明情報が表示される。領域Ｚ２ｂに表示される説明情報は、例えば、分類種別テーブル２０２の説明文フィールドに格納された情報を参照して行われる。処理装置１０は、分類種別テーブル２０２の設定名称に格納された情報に基づいて、分類名称に対応するレコードを特定し、当該レコードの説明文フィールドに格納された情報を取得して領域Ｚ２ａに表示すればよい。なお、領域Ｚ２ａに表示される分類名称は、図２で説明した「分類名称ａ２」に対応し、領域Ｚ２ｂに表示される説明情報は、図２の「説明情報ａ３」に対応する。
【００５５】
図５（１）に示すように、領域Ｚ２ａに表示される分類名称と、領域Ｚ２ｂに表示される説明情報とは、撮影条件を反映させた撮影対象の人物の撮像画像を透過させた状態で、当該画像に重畳させて表示される。分類名称が表示される領域Ｚ２ａと説明情報が表示される領域Ｚ２ｂとの相対的な表示位置は、ファインダを視認するユーザが表示された情報を容易に把握できるように、近接して表示することが好ましい。このような、表示位置の指定は、ＬＣＤ１５ａの縦方向をＹ方向とし、横方向をＸ方向とした２次元座標（Ｘ，Ｙ）を用いて指定できる。なお、分類名称を構成する文字の配色と、説明情報を構成する文字の配色とは、異なる色種別で表示することもできる。
【００５６】
図４に戻り、ファインダに表示された説明情報は、一定期間ｔ１経過後に非表示状態に移行する。ここで、一定期間ｔ１は、例えば、撮影シーンの属する分類の種別の決定のときからの経過時間として例示できる。このような一定期間ｔ１は、予め定められた秒単位の固定値（例えば、２秒）として保持してもよく、実験的に求められた設定値であってもよい。
【００５７】
処理装置１０は、一定期間ｔ１経過後にファインダに表示された説明情報を非表示状態に移行させるとともに、分類名称が表示された表示領域に近接させて、分類名称に対応する撮影条件を取り消すためのＧＵＩ部品を表示させる（撮像画像Ｚ３）。図５（２）に撮像画像Ｚ３を説明する図を例示する。
【００５８】
図５（２）において、破線の矩形枠で囲まれた領域Ｚ３ａには、モード設定部１０１によって特定された、撮影シーンの属する種別を示す分類名称（設定名称）が継続して表示される。また、破線の矩形枠で囲まれた領域Ｚ３ｂには、分類名称に対応する撮影条件を取り消すためのＧＵＩ部品が表示される。なお、領域Ｚ３ｂに表示されるＧＵＩ部品は、図２（３）、（４）を用いて説明した「取消ボタンａ４」に対応する。このようなＧＵＩ部品は、例えば、「×」印等の設定の取り消しを示す否定的なイメージを想起させる標識（マーク）で構成される。
【００５９】
図５（２）に示すように、分類名称が表示される領域Ｚ３ａとＧＵＩ部品が表示される領域Ｚ３ｂとの相対的な表示位置は、当該ＧＵＩ部品が分類名称に関連することが把握可能なように、領域Ｚ３ａの近傍に並列させて表示することが好ましい。なお、ＧＵＩ部品を構成する標識等の配色は、分類名称を構成する文字の配色とは異なる色種別で表示してもよい。以下、分類名称に対応する撮影条件を取り消すためのＧＵＩ部品を「キャンセルボタン」とも称する。
【００６０】
図４に戻り、撮影モード設定機能を介して分類された撮影条件による処理効果を所望しないと判断したユーザは、分類名称が表示された領域Ｚ３ａに近接して表示されたキャンセルボタンの押下操作を行う。処理装置１０は、例えば、キャンセルボタンの表示位置に重畳して接触させた操作指等によるユーザの接触操作を、タッチセンサ１４ｂを介して受け付ける。処理装置１０は、キャンセルボタンへの操作入力を受け付けると、分類名称に対応した撮影条件の設定を取り消す（時刻ｔ２）。処理装置１０においては、撮影モード設定機能によって設定された撮影条件が分類名称「人物」に対応する「人物設定ＣＬ１ａ」から、標準状態の撮影条件である「標準設定ＣＬ１ｂ」に切替わる。
【００６１】
さらに、処理装置１０は、キャンセルボタンの押下操作の受け付けを契機として、ファインダに表示中の分類名称およびキャンセルボタンを画面上から消去する。処理装置１０においては、標準状態の撮影条件で撮影された人物を含む撮像画像Ｚ４がＬＣＤ１５ａの画面に表示される。なお、処理装置１０では、キャンセルボタンへの操作入力（キャンセル操作）を契機として、当該操作入力を受け付けた時点の撮影シーン情報（分類名称、撮像画像等）が記録される。
【００６２】
処理装置１０は、キャンセル操作を受け付けたとき（時刻ｔ２）から所定期間ｔ３の間、キャンセル状態を維持する。このような所定期間ｔ３は、予め定められた秒単位の固定値（例えば、５秒）として保持してもよく、実験的に求められた設定値であってもよい。キャンセル状態を維持する期間であるキャンセル維持期間においては、標準状態の撮影条件（標準設定ＣＬ１ｂ）が維持される。処理装置１０では、撮像装置１４ａを通じて撮影された撮影シーンに対する撮影モード設定機能による分類が抑制される。この結果、キャンセル操作が行われた直後に検出された、キャンセル操作が生じた撮影シーンへの撮影モード設定機能による分類が抑制できるため、ユーザの同一の撮影シーンに対するキャンセル操作の繰り返しといった煩わしさが防止できる。
【００６３】
キャンセル維持期間経過（時刻ｔ４）後、処理装置１０では、キャンセル操作の受け付け時に記録された撮影シーン情報に基づいて、キャンセル操作を受け付けた時点からの撮影シーンの変更が判断される。そして、処理装置１０は、キャンセル維持期間経過後の撮影シーンが、キャンセル操作を受け付けた時点の撮影シーンからの変更がない場合には、標準状態の撮影条件（標準設定ＣＬ１ｂ）を継続する（Ｓ１０１）。ファインダとして機能するＬＣＤ１５ａには、分類名称や説明情報、キャンセルボタン等の表示情報を含まない、標準設定による撮像画像Ｚ５が表示される。処理装置１０は、キャンセル維持期間経過後においても、撮影シーンの分類種別に応じてユーザの意図を撮影機会に反映できるた
め、ユーザビリティが向上できる。
【００６４】
次に、図６を説明する。図６においては、キャンセル維持期間内に撮影シーンが変化した状態でキャンセル期間が経過する場合の、時間経過に伴う撮影状態の遷移が例示される。なお、図６から図８の横軸は、図４と同様に、経過時間（ｔ）を表す。また、図６においては、図４で説明した箇所については同じ符号を付して説明を省略する。以下、図４と異なる点を主に説明する。
【００６５】
図６に示すように、キャンセル維持期間（時刻ｔ２−ｔ４）内において、人物を撮影対象とした撮影シーンＧ１ａから花を撮影対象とした撮影シーンＧ１ｂに変化する（時刻ｔ５）。撮影シーンの変化に伴い、ファインダに表示される撮像画像は、撮像画像Ｚ４から撮像画像Ｚ６に変化する。但し、処理装置１０は、キャンセル維持期間中に撮影シーンが変化しても、変化後の撮影シーンに対する撮影モード設定機能による分類を抑制し、標準状態の撮影条件を継続する（Ｓ１０２）。このため、ファインダとして機能するＬＣＤ１５ａには、花を撮影対象とした、分類名称や説明情報、キャンセルボタン等の表示情報を含まない状態の撮像画像Ｚ６が表示される。
【００６６】
図４と同様にして、キャンセル維持期間経過（時刻ｔ４）後、処理装置１０では、キャンセル操作の受け付け時に記録された撮影シーン情報に基づいて、キャンセル操作を受け付けた時点からの撮影シーンの変更が判断される。処理装置１０では、人物を撮影対象とした撮影シーンＧ１ａから花を撮影対象とした撮影シーンＧ１ｂへの変更が判断される。そして、処理装置１０は、変更後の撮影シーンＧ１ｂで撮影された撮像画像に対して撮影モード設定機能による分類を実行し、撮影シーンＧ１ｂが属する分類種別に対応する撮影条件を設定する（Ｓ１０３）。撮影シーンを撮影するための撮影条件は、キャンセル維持期間が経過した時刻ｔ４を契機として、標準設定ＣＬ１ｂから分類種別「花」を撮影対象とした撮影条件に移行される。
【００６７】
処理装置１０のファインダには、分類種別「花」による撮影条件で撮影された撮影シーンＣＬ１ｃの撮像画像Ｚ６が表示される。撮像画像Ｚ６においても、撮像画像Ｚ２と同様にして、撮影シーンの属する種別を示す分類名称（設定名称）、分類名称に対応する撮影条件による効果を説明するための説明情報が所定の領域（領域Ｚ２ａ、Ｚ２ｂ）に表示される。
【００６８】
処理装置１０においては、キャンセル維持期間内で撮影シーンの変更が生じた場合でも、ユーザの意図した行為であるキャンセル操作を優先し、標準状態の撮影条件による設定を維持できる。このため、処理装置１０は、キャンセル維持期間内ではユーザの意図を反映した写真撮影を提供できる。また、処理装置１０は、キャンセル維持期間経過後においても、撮影シーンの分類に応じてユーザの意図を撮影機会に反映できる。
【００６９】
次に、図７を説明する。図７においては、キャンセル維持期間内に撮影シーンは変化するが、キャンセル期間経過後の撮影シーンはキャンセル前と同じ撮影シーンの場合における、時間経過に伴う撮影状態の遷移が例示される。なお、図７においては、図４、図６で説明した箇所については同じ符号を付して説明を省略する。以下、図４、図６と異なる点を主に説明する。
【００７０】
図７においても、図６と同様に、キャンセル維持期間（時刻ｔ２−ｔ４）内において、人物を撮影対象とした撮影シーンＧ１ａから花を撮影対象とした撮影シーンＧ１ｂに変化する（時刻ｔ５）。そして、撮影シーンの変化に伴い、ファインダに表示される撮像画像は、撮像画像Ｚ４から、花を撮影対象とした、分類名称や説明情報、キャンセルボタン等の表示情報を含まない状態の撮像画像Ｚ６が表示される。処理装置１０では、キャンセル
維持期間中に撮影シーンが変化しても、変化後の撮影シーンに対する撮影モード設定機能による分類が抑制され、標準状態の撮影条件が継続されるからである。
【００７１】
さらに、図７に示すように、キャンセル維持期間（時刻ｔ２−ｔ４）内において、花を撮影対象とした撮影シーンＧ１ｂから再び、人物を撮影対象とした撮影シーンＧ１ｃに変化する。そして、キャンセル維持期間が経過する（時刻ｔ４）。
【００７２】
処理装置１０では、キャンセル維持期間経過後、キャンセル操作の受け付け時に記録された撮影シーン情報に基づいて、キャンセル操作を受け付けた時点からの撮影シーンの変更が判断される。処理装置１０は、人物を撮影対象とした撮影シーンＧ１ｃと、キャンセル操作を受け付けた時点での撮影シーンＧ１ａとの間に変更を判断するための差異点が特定されない場合には、標準状態の撮影条件による設定を継続する（Ｓ１０７）。
【００７３】
処理装置１０のファインダには、標準状態の撮影条件で差釣りされた撮影シーンＧ１ｃの撮像画像Ｚ７が表示される。処理装置１０では、撮影モード設定機能による分類が抑制され、標準状態の撮影条件が継続されているため、分類名称や説明情報、キャンセルボタン等の表示情報を含まない撮像画像Ｚ７が表示される。
【００７４】
処理装置１０においては、キャンセル維持期間内で撮影シーンが変化した場合であり、且つ、キャンセル維持期間経過後の撮影シーンが、キャンセル操作を受け付けた撮影シーンから変更されていないときには、標準状態の撮影条件による設定が継続できる。この結果、処理装置１０は、一時的な撮影シーンの変更が生じたときでも、キャンセル維持期間経過後の撮影シーンに基づいて、ユーザの意図した行為であるキャンセル操作を優先させた写真撮影の機会が提供できる。
【００７５】
次に、図８を説明する。図８においては、キャンセル期間経過後に撮影シーンが変化した場合における、時間経過に伴う撮影状態の遷移が例示される。なお、図８においては、図４、図６、図７で説明した箇所については同じ符号を付して説明を省略する。以下、図４、図６、図７と異なる点を主に説明する。
【００７６】
図８においては、キャンセル維持期間経過後（時刻ｔ４以降）に、撮影シーンが人物を撮影対象とした撮影シーンＧ１ａから、花を撮影対象とした撮影シーンＧ１ｂに変化する（時刻ｔ６）。処理装置１０においては、キャンセル維持期間の経過時刻ｔ４を契機として、抑制されていた撮影シーンに対する撮影モード設定機能による分類が取り消される。しかしながら、キャンセル維持期間の経過の時点（時刻ｔ４）では、撮影対象の撮影シーンは人物を撮影対象とした撮影シーンＧ１ａである。このため、キャンセル維持期間経過後の処理装置１０においては、撮影対象の撮影シーンは、キャンセル操作を受け付けた時点（時刻ｔ２）から変更がないと判断される。キャンセル操作の受け付け時に記録された撮影シーン情報に基づいて、キャンセル維持期間経過後の撮影シーンに対する変更の有無が判断される。
【００７７】
キャンセル維持期間経過後の撮影シーンが、キャンセル操作を受け付けた時点（時刻ｔ２）の撮影シーンから変更されていないときには、処理装置１０は、ユーザの意図した行為であるキャンセル操作を優先させて継続させる。このため、撮影対象の撮影シーンＧ１ａを撮影するための撮影条件は、標準状態の撮影条件である標準設定ＣＬ１ｂが維持される。標準設定ＣＬ１ｂは、撮影対象の撮影シーンに対して、キャンセル操作を受け付けた時点の撮影シーンからの変更が判断されるまで継続される。
【００７８】
図８に示すように、処理装置１０では、キャンセル期間経過後、人物を撮影対象とした撮影シーンＧ１ａからの、花を撮影対象とした撮影シーンＧ１ｂへの変化が判断される（
時刻ｔ６）。処理装置１０は、撮影シーンに対する変化の判断を契機として、撮影シーンＧ１ｂで撮影された撮像画像に対して撮影モード設定機能による分類を実行し、撮影シーンＧ１ｂが属する分類種別「花」に対応する撮影条件を設定する（Ｓ１０５）。
【００７９】
処理装置１０のファインダには、分類種別「花」による撮影条件で撮影された撮影シーンＣＬ１ｃの撮像画像Ｚ６が表示される。撮像画像Ｚ６には、撮影シーンの属する種別を示す分類名称（設定名称）、分類名称に対応する撮影条件による効果を説明するための説明情報が所定の領域（領域Ｚ２ａ、Ｚ２ｂ）に表示される。
【００８０】
キャンセル維持期間経過後の処理装置１０は、キャンセル操作を受け付けた撮影シーンからの変更の判断を契機として、撮影モード設定機能による撮影シーンの分類を実行し、当該撮影シーンが属する分類種別に対応する撮影条件が提供できる。キャンセル維持期間経過後においても、処理装置１０は、撮影シーンの分類種別に応じて適切な写真撮影の撮影機会が提供できる。
【００８１】
次に、図９から図１０に例示のフローチャートを説明する。図９のフローチャートにおいては、ファインダに表示される表示情報に関する処理の一例が示される。処理装置１０は、プロセッサ１１が補助記憶部１３に記憶されている各種のプログラムや各種のデータを主記憶部１２に読み出して実行することで、図９から図１０に例示の処理機能が提供される。なお、図９から図１０の処理は、例えば、ファインダに撮像画像とともに表示された、撮影に関する特定のＧＵＩ部品、例えば、カメラアプリを終了してスタート画面に戻るための操作部品への押下操作等により終了される。
【００８２】
図９のフローチャートにおいて、処理の開始は、カメラアプリの起動のときが例示される。処理装置１０は、例えば、スタート画面等に表示されたカメラアプリを起動するＧＵＩ部品（アイコン）への、タップ操作といったユーザの操作入力を受け付ける。
【００８３】
処理装置１０は、例えば、ＬＣＤ１５ａの表面に設けられたタッチセンサ１４ｂを通じて、スタート画面に表示されたカメラアプリを起動するアイコンの表示位置に重畳して接触させた操作指等による接触操作を受け付ける。ファインダとして機能するＬＣＤ１５ａ等の表示画面には、カメラアプリの起動を契機として撮像装置１４ａにより撮影された撮像画像が表示される（Ｓ１）。ＬＣＤ１５ａの表示画面には、図２（１）を用いて説明した、撮影に関する複数のＧＵＩ部品が表示される。なお、撮像装置１４ａの撮影方向は、ＬＣＤ１５ａに対向する対向面方向（背面方向）である。
【００８４】
ユーザは、例えば、処理装置１０の背面側に設けられた撮像装置１４ａの撮影方向を、撮影対象（被写体）が存在する方向に向けて筐体を保持する。撮像装置１４ａを構成するＣＣＤやＣＭＯＳ等のイメージセンサを介して、撮影方向に存在する撮影対象の撮像画像が撮影される（Ｓ２）。ファインダとして機能するＬＣＤ１５ａの表示画面には、所定のフレームレートで撮影された撮影対象の撮像画像が表示される（Ｓ３、「ファインダ状態」）。
【００８５】
処理装置１０は、撮像装置１４ａを介して撮影された撮像画像に対して、撮影対象が含まれる撮影シーンの分類を開始する（Ｓ４）。撮影シーンの分類は、モード設定部１０１により提供される。処理装置１０は、例えば、撮像画像に含まれる人物や動植物、構造物等の被写体にフォーカシングしながら画像処理を行い、当該撮像画像に含まれる物体の種別を特定する。そして、処理装置１０は、特定された上記物体の種別、上記物体の撮像画像内における配置位置や大きさといった構図に関する情報に基づいて、撮影対象が含まれる撮影シーンの属する種別を分類する（Ｓ５）。
【００８６】
処理装置１０は、撮影シーンの属する種別が分類できた場合には（Ｓ５、“Ｙｅｓ”）、Ｓ６の処理に移行する。一方、上記以外の場合には（Ｓ５、“Ｎｏ”）、処理装置１０は、Ｓ１０の処理に移行する。
【００８７】
Ｓ６の処理では、処理装置１０は、分類された撮影シーンの種別を示す分類名称（設定名称）、および、当該分類に応じて設定された撮影条件による撮像画像への処理効果を説明するための説明情報（説明文）をファインダに表示する。図５（１）を用いて説明したように、例えば、ファインダとして機能するＬＣＤ１５ａの表示画面上には、撮影対象の人物の撮像画像とともに、分類名称「人物」および「顔を明るくし、肌の色がきれいに見えるように撮影します」といった処理効果を説明する説明情報が表示される。なお、ファインダには、分類名称「人物」に対応する撮影条件で撮影された、例えば、露出等の撮影パラメータを補正して撮影された被写体の撮像画像が表示される。上記分類名称および説明情報は、上記撮影条件が反映されて撮影された被写体の撮像画像に重畳させて、同一画面上に表示される。
【００８８】
Ｓ７の処理では、処理装置１０は、時間計測のためのタイマ機能を起動させる。当該タイマ機能は、一定期間（例えば、２秒）後に停止する。Ｓ７の処理により、ファインダに表示させた説明情報の表示期間が一定期間に制限される。
【００８９】
そして、処理装置１０は、タイマ機能に設定された一定期間の経過後に、当該タイマ機能の停止を契機として、ファインダの表示画面に表示させた説明情報を消去する（Ｓ８）。また、処理装置１０は、タイマ機能の停止を契機として、説明情報によって提示された、撮影シーンの分類種別に応じて設定された撮影条件による撮像画像への処理効果を取り消すためのＧＵＩ部品（キャンセルボタン）をファインダの表示画面に表示する（Ｓ９）。このようなキャンセルボタンは、例えば、「×」印といった否定的なイメージを想起させる標識（マーク）によって構成される。図５（２）を用いて説明したように、キャンセルボタンの表示位置は、例えば、撮影シーンの属する種別を示す分類名称（設定名称）が表示される表示領域の近傍に並列して表示される。Ｓ９の処理後、処理装置１０は、Ｓ１０の処理に移行し、撮影対象が含まれる撮影シーンの特定が継続して行われる。
【００９０】
次に、図１０を説明する。図１０のフローチャートにおいては、ファインダに表示されたキャンセルボタンの押下操作に関する処理の一例が示される。なお、以下の説明では、図４から図８を用いて説明したように、撮影対象の撮影シーンは、分類名称「人物」から分類名称「花」に移行するものとして説明する。
【００９１】
図１０のフローチャートにおいて、Ｓ１１の処理では、処理装置１０は、撮影シーンの属する種別が「人物」と分類された撮像画像とともに表示されたキャンセルボタンの押下操作の有無を判定する。処理装置１０は、例えば、ＬＣＤ１５ａの表面に設けられたタッチセンサ１４ｂを通じて、ファインダの画面上に表示されたキャンセルボタンへの接触操作（タップ操作）が検出された場合には、キャンセルボタンへの押下操作が行われたと判断する。一方、処理装置１０は、上記タップ操作を検出しない場合には、キャンセルボタンへの押下操作は行われていないと判断する。
【００９２】
処理装置１０は、キャンセルボタンへの押下操作が生じた場合には（Ｓ１１、“Ｙｅｓ”）、Ｓ１２の処理に移行する。一方、処理装置１０は、キャンセルボタンへの押下操作が生じていない場合には（Ｓ１１、“Ｎｏ”）、Ｓ２１の処理に移行する。
【００９３】
処理装置１０は、キャンセルボタンの押下操作を契機として、キャンセル操作が生じた時点での撮影シーン情報を記録する（Ｓ１２）。撮影シーン情報には、キャンセル操作を受け付けた時点の分類名称や撮像画像等の情報が含まれる。Ｓ１２の処理後、ファインダ
に表示されていた分類名称、キャンセルボタン等の表示情報は、表示画面上から消去される。そして、処理装置１０は、撮影対象を撮影する撮影条件を、標準状態の撮影条件である標準設定に変更する（Ｓ１３）。処理装置１０のファインダには、標準設定の撮影条件で撮影された撮像画像が表示される。
【００９４】
Ｓ１４の処理では、処理装置１０は、ユーザによる取り消しの選択、すなわち、キャンセルボタンの押下操作の受け付けからの経過時間が所定期間を経過しているかを判断する。処理装置１０は、例えば、図７のＳ７の処理と同様にして予め所定時間経過後に停止するタイマ機能を起動し、所定期間の経過を判断すればよい。処理装置１０は、キャンセルボタンの押下操作の受け付けから所定期間を経過している場合には（Ｓ１４、“Ｙｅｓ”）、Ｓ１５の処理に移行する。一方、処理装置１０は、キャンセルボタンの押下操作の受け付けから所定期間を経過していない場合には（Ｓ１４、“Ｎｏ”）、当該処理を繰り返す。Ｓ１４の処理により、キャンセル操作が生じてからの所定期間（キャンセル維持期間）においては、撮影シーンが変化しても、標準設定された撮影条件が継続される。
【００９５】
Ｓ１５の処理では、キャンセル維持期間経過後の撮影シーンについての、キャンセル操作を受け付けた時点からの撮影シーンの変更が判断される。処理装置１０は、例えば、キャンセル操作の受け付け時に記録された撮影シーン情報（分類名称、撮像画像等）に基づいて、キャンセル維持期間後に撮影された撮影シーンに対する変更を判断する。
【００９６】
処理装置１０は、例えば、キャンセル維持期間経過後の撮影シーンについて、撮影された撮像画像に基づいて、当該撮影シーンの属する種別を分類する。そして、処理装置１０は、例えば、キャンセル維持期間経過後の撮影シーンが記録された撮影シーン情報に含まれる分類名称の場合には、キャンセル維持期間後に撮影された撮影シーンについて変更がないと判断する。処理装置１０は、キャンセル維持期間後に撮影された撮影シーンについて変更がないと判断する場合には（Ｓ１５、“Ｙｅｓ”）、Ｓ２１の処理に移行する。一方、処理装置１０は、キャンセル維持期間後に撮影された撮影シーンについて変更があると判断する場合には（Ｓ１５、“Ｎｏ”）、Ｓ１６の処理に移行する。
【００９７】
処理装置１０は、キャンセル維持期間後に撮影された撮影シーンに対して、分類された種別（分類名称「花」）に応じた撮影条件を設定する（Ｓ１６）。ファインダの画面上には、標準設定の撮影条件から、分類名称「花」に対応する撮影条件で撮影された撮像画像が表示される。
【００９８】
そして、処理装置１０は、分類された撮影シーンの種別を示す分類名称（設定名称）、および、当該分類に応じて設定された撮影条件による撮像画像への処理効果を説明するための説明情報（説明文）をファインダに表示する（Ｓ１７）。ファインダの表示画面には、例えば、分類名称「花」および「花の色が明るくなるように撮影します」といった処理効果を説明する説明情報が表示される。
【００９９】
Ｓ１８からＳ２０の処理においては、図９のフローチャートに示すＳ７からＳ９の処理と同様の処理が行われるため、説明が省略される。Ｓ２０の処理後、処理装置１０は、Ｓ２１の処理に移行し、撮影対象が含まれる撮影シーンの特定が継続して行われる。
【０１００】
以上、説明したように、本実施形態に係る処理装置１０においては、所定のフレームレートで撮影された撮像画像をフレーム単位で取得し、撮影対象を含む撮影シーンの属する種別が分類できる。分類後においては、ファインダとして機能するＬＣＤ１５ａには、撮影シーンの種別に応じて設定された撮影条件で撮影された撮像画像が表示できる。そして、本実施形態に係る処理装置１０は、上記撮影条件で撮影された撮像画像とともに、撮影シーンの属する種別を示す分類名称（設定名称）、分類名称に対応する撮影条件による効
果を説明するための説明情報をファインダの画面上に表示できる。ユーザは、ファインダ上に表示された上記分類名称および説明情報とともに、撮影条件が反映された撮像画像を同一画面上で視認できるため、撮影対象の写真を撮影する撮影前に、どのように撮影されるかを把握可能になる。本実施形態によれば、撮影モード設定機能を介して設定された撮影条件による処理効果について、当該処理効果を反映させた画像撮影の可否を判断する機会が提供できる。処理装置１０は、撮影モード設定機能を介して設定された撮影条件による処理効果について、ユーザの納得性と、より見栄えのする処理効果の画像取得が可能になる。
【０１０１】
また、本実施形態に係る処理装置１０においては、ファインダの画面上に表示させた説明情報を一定期間経過後に消去するとともに、当該消去を契機として設定された撮影条件を取り消すための操作部品をファインダの表示領域に表示できる。本実施形態によれば、処理装置１０は、ファインダに表示された撮影画像に対する処理効果を選択することへの検討時間をユーザに与えることができる。また、処理装置１０は、撮影条件を取り消すための操作部品を表示させることで、他の処理効果による撮影がより見栄えがするかの決断の機会を与えることが可能になる。
【０１０２】
さらに、本実施形態に係る処理装置１０においては、キャンセル操作を受け付けたときには、撮影モード設定機能を介して設定された撮影条件を取り消した上で、処理効果の生じない標準状態の撮影条件を設定できる。そして、処理装置１０は、設定された標準状態の撮影条件をキャンセル維持期間の間、継続できる。処理装置１０は、標準状態の撮影条件を設定することで、ユーザの意図しない処理効果を伴う写真撮影になることを未然に防止できる。また、処理装置１０は、キャンセル維持期間を設けることで、期間内の同一の撮影シーンに対するキャンセル操作の繰り返しといった煩わしさが防止できる。
【０１０３】
（変形例）
実施形態で説明した処理装置１０の提供する機能は、ネットワークを介して接続された複数のコンピュータや外部記憶装置の協働によって提供されるとしてもよい。例えば、照合パターンＤＢ２０１を備える外部記憶装置と、分類種別テーブル２０２を備える外部記憶装置とがネットワークに接続される。当該ネットワークには、モード設定部１０１の処理機能を提供するコンピュータが接続される。
【０１０４】
上記ネットワークに接続された各装置は、処理装置１０の備える撮像装置１４ａを介して撮影された撮像画像に基づいて、当該撮影シーンの属する種別を分類する。そして、上記ネットワークに接続された各装置は、処理装置１０のファインダに、撮影画像とともに、分類名称や説明情報、キャンセルボタン等の表示情報を表示させてもよい。このような形態であっても、実施形態で説明した処理装置１０の処理機能の提供が可能になる。
【０１０５】
《コンピュータが読み取り可能な記録媒体》
コンピュータその他の機械、装置（以下、コンピュータ等）に上記何れかの機能を実現させるプログラムをコンピュータ等が読み取り可能な記録媒体に記録することができる。そして、コンピュータ等に、この記録媒体のプログラムを読み込ませて実行させることにより、その機能を提供させることができる。
【０１０６】
ここで、コンピュータ等が読み取り可能な記録媒体とは、データやプログラム等の情報を電気的、磁気的、光学的、機械的、または化学的作用によって蓄積し、コンピュータ等から読み取ることができる記録媒体をいう。このような記録媒体のうちコンピュータ等から取り外し可能なものとしては、例えば、フレキシブルディスク、光磁気ディスク、Compact Disc Read Only Memeory（ＣＤ−ＲＯＭ）がある。また、Compact Disc-Recordable
（ＣＤ−Ｒ）、Compact Disc-ReWriterable（ＣＤ−ＲＷ）、ＤＶＤ、ＢＤ、Digital Aud
io Tape（ＤＡＴ）、８ｍｍテープ、フラッシュメモリなどのメモリカード等がある。ま
た、コンピュータ等に固定された記録媒体としてハードディスクやＲＯＭ等がある。
【０１０７】
《その他》
以上の実施形態は、さらに以下の付記と呼ぶ態様を含む。以下の各付記に含まれる構成要素は、他の付記に含まれる構成と組み合わせることができる。
（付記１）
撮影装置で撮影された被写体の撮像画像から、前記被写体を撮影する状況を種別に分類し、前記分類された種別に対応した第１撮影条件を前記撮影装置に設定することと、
前記撮影する状況について分類された種別を示す第１情報と、前記分類された種別に対応して設定された第１撮影条件から得られる処理効果を説明する第２情報とを、前記撮像画像が表示される表示部に表示することと、
を実行する制御部を備える処理装置。
（付記２）
前記制御部は、前記表示部に表示された前記第２情報を第１所定期間の経過後に消去することと、
前記第２情報の消去を契機として、前記撮影装置に設定された第１撮影条件の取り消しを受け付ける操作部品を前記表示部に表示することと、をさらに実行する付記１に記載の処理装置。
（付記３）
前記制御部は、前記第１撮影条件への取り消しを受け付けたときには、前記第１撮影条件とは異なる第２撮影条件を前記撮影装置に設定することと、
前記撮影装置に設定された第２撮影条件を第２所定期間にわたり継続することと、をさらに実行する付記１または付記２に記載の処理装置。
（付記４）
前記制御部は、前記第１撮影条件への取り消しを受け付けた後、第２所定期間経過後に撮影された次の撮影画像が、前記第１撮影条件への取り消しを受け付けたときの撮影画像と異なるときには、前記次の撮影画像で撮影された被写体を撮影する状況を種別ごとに分類し、前記分類された種別に対応した第１撮影条件を前記撮影装置に設定することを再度実行する、付記１から３の何れかの一付記に記載の処理装置。
（付記５）
前記制御部は、前記第１撮影条件への取り消しを受け付けた後、第２所定期間経過前に撮影された撮影画像の変更の有無によらず、第２所定期間経過後に撮影された次の撮影画像が、前記第１撮影条件への取り消しを受け付けたときの撮影画像と一致するときには前記第２撮影条件を設定する、付記３または４に記載の処理装置。
（付記６）
前記制御部は、前記処理効果を反映させた前記被写体の撮像画像とともに前記処理効果を説明する第２情報を表示する、付記１から５の何れかの一付記に記載の処理装置。
（付記７）
撮影装置で撮影された被写体の撮像画像から、前記被写体を撮影する状況を種別に分類し、前記分類された種別に対応した第１撮影条件を前記撮影装置に設定することと、
前記撮影する状況について分類された種別を示す第１情報と、前記分類された種別に対応して設定された第１撮影条件から得られる処理効果を説明する第２情報とを、前記撮像画像が表示される表示部に表示することと、
をコンピュータに実行させるプログラム。
【符号の説明】
【０１０８】
１０  処理装置
１１  プロセッサ
１２  主記憶部
１３  補助記憶部
１４  入力部
１４ａ  撮影蔵置
１４ｂ  タッチセンサ
１５  出力部
１５ａ  ＬＣＤ
１６  通信部
１０１  モード設定部
２０１  照合パターンＤＢ
２０２  分類種別テーブル
Ｂ１  接続バス
【図１】
2020150433.tif 000003
【図２】
2020150433.tif 000004
【図３】
2020150433.tif 000005
【図４】
2020150433.tif 000006
【図５】
2020150433.tif 000007
【図６】
2020150433.tif 000008
【図７】
2020150433.tif 000009
【図８】
2020150433.tif 000010
【図９】
2020150433.tif 000011
【図１０】
2020150433.tif 000012